(57)【要約】【課題】投射光の入射角が大きな場合にも、投射画像を十分な輝度で観察することができ、外光等の不要光の取り込みを抑えることができるスクリーンを提供すること。【解決手段】第１反射面１１と第２反射面１２とが成す角度ωを略９０°−ψ／２とするので、各セル１５の第１反射面１１に対して傾いて入射した光束を後方の第２反射面１２で反射させて、第１反射面１１に略平行な光束としてスクリーン面１０ａの正面方向に射出させることができる。これにより、プロジェクタ装置２０からスクリーン１０までの投射距離を縮めて、近距離から大きな入射角度で投射された画像を正面に向けて表示させることができる。【選択図】図３
2009063693.tif 000002
【特許請求の範囲】
【請求項１】
第１反射面と、前記第１反射面と隣り合う第２反射面と、前記第２反射面と隣り合うとともに前記第１反射面と対向する吸収面とをそれぞれ有し、前記第２反射面を後方側に位置させた状態でスクリーン面に沿って配列される複数のセルを備え、
前記複数のセルのうち少なくともスクリーン面の中央領域に配置されるセルにおいて、当該セル中に入射した投射光が前記第１反射面と成す角をψとした場合に、前記第１反射面と前記第２反射面とが成す角度ωは、略９０°−ψ／２となっている、
スクリーン。
【請求項２】
前記複数のセルは、前記スクリーン面上において投射光の入射角が等しくなる円弧に沿って同心状に配列されている、請求項１に記載のスクリーン。
【請求項３】
前記複数のセルは、前記第１及び第２反射面に直交する面が投射光に平行になるようにそれぞれ配置されている、請求項２に記載のスクリーン。
【請求項４】
前記複数のセルを構成する各セルにおいて、前記第１反射面と前記第２反射面とが成す角度ωをそれぞれ略９０°−ψ／２としている、請求項１から請求項３のいずれか一項に記載のスクリーン。
【請求項５】
前記複数のセルを構成する各セルにおいて、前記第１及び第２反射面と前記吸収面とに囲まれた内部空間は、光透過性の部材で充填されている、請求項１から請求項４までのいずれか一項に記載のスクリーン。
【請求項６】
前記複数のセルは、少なくとも前記第１反射面に垂直な方向に配列されており、特定のセルの前記第１反射面と、前記特定のセルに隣接するセルの前記吸収面とは、同一基板上に設けられている、請求項１から請求項５までのいずれか一項に記載のスクリーン。
【請求項７】
前記吸収面は、所定の厚みを有する吸収部材に形成されており、前記吸収部材は、前記スクリーン面側の先端部において先端に向かって薄くなっている、請求項１から請求項６までのいずれか一項に記載のスクリーン。
【請求項８】
前記複数のセルは、少なくとも前記第１反射面に垂直な方向に配列されており、隣接する方向に関するセルの窓高さをＰとし、前記第１反射面の奥行きをｄとした場合に、以下の関係
Ｐ＝ｄ・ｔａｎψ
が成り立つ、請求項１から請求項７までのいずれか一項に記載のスクリーン。
【発明の詳細な説明】
【技術分野】
【０００１】
本発明は、反射型のスクリーンに関し、特に、投射方向と観察方向とが大きく異なる場合であっても良好な反射特性を有するスクリーンに関する。
【背景技術】
【０００２】
従来のスクリーンとして、微小な凹面反射面を配列してなる反射面と、凹面反射面に対応して設けられた光路と、それぞれの光路の境界に設けられた光吸収層とを備え、光吸収層によって外光を吸収することにより、外光が観察者に与えられないようにしたものが存在する（特許文１参照）。
【０００３】
その他のスクリーンとして、透明部材の背面側にマトリクス状に形成された凸の反射面を備えるものがあり、それぞれの反射面は、投射光の入射角に応じて傾斜状が調整されている（特許文献２参照）。
【特許文献１】特開平４−２４０３８３号公報
【特許文献２】特開２００３−２２８１３３号公報
【発明の開示】
【発明が解決しようとする課題】
【０００４】
しかしながら、凹面反射面に対応する光路の境界に光吸収層を設けた前者のタイプのスクリーンに関しては、投射距離を縮めて近距離から大きな入射角度で投射する場合に、投射光のケラレすなわち意図しない遮光が生じ、投射画像を観察できなくなる。
【０００５】
また、凸反射面を傾けてマトリクス状に配置した後者のタイプのスクリーンに関しては、投射光以外の方向からの不要光が投射光と同様に反射される可能性がある。
【０００６】
そこで、本発明は、投射光の入射角が大きな場合にも、投射画像を十分な輝度で観察することができ、外光等の不要光の取り込みを抑えることができるスクリーンを提供することを目的とする。
【課題を解決するための手段】
【０００７】
上記課題を解決するため、本発明に係るスクリーンは、第１反射面と、第１反射面と隣り合う第２反射面と、第２反射面と隣り合うとともに第１反射面と対向する吸収面とをそれぞれ有し、第２反射面を後方側に位置させた状態でスクリーン面に沿って配列される複数のセルを備え、複数のセルのうち少なくともスクリーン面の中央領域に配置されるセルにおいて、当該セル中に入射した投射光が第１反射面と成す角をψとした場合に、第１反射面と第２反射面とが成す角度ωは、略９０°−ψ／２となっている。
【０００８】
上記スクリーンでは、第１反射面と第２反射面とが成す角度ωを略９０°−ψ／２とするので、着目するセルの第１反射面に対してスクリーンの正面側から傾いて入射した光束を後方の第２反射面で反射させて、第１反射面に略平行な光束としてセルの正面方向に射出させることができる。これにより、プロジェクタからスクリーンまでの投射距離を縮めて、近距離から大きな入射角度で投射された画像を正面に向けて表示させることができる。さらに、スクリーンの上側や正面側からの不要光は、第２反射面を経るなどして吸収面に入射し、或いは、スクリーンの上側に射出されるので、不要光がスクリーンの正面側に反射される可能性を低減できる。
【０００９】
本発明の具体的な態様では、上記スクリーンにおいて、複数のセルが、スクリーン面上において投射光の入射角が等しくなる円弧に沿って同心状に配列されている。この場合、スクリーンに入射する投射光の入射角が共通する円弧ごとにセルを配列することができる。
【００１０】
本発明の別の態様では、複数のセルが、第１及び第２反射面に直交する面が投射光に平行になるようにそれぞれ配置されている。この場合、着目するセルからの反射光を正面に向けて正確に射出させることができる。
【００１１】
本発明のさらに別の態様では、複数のセルが、複数のセルを構成する各セルにおいて、第１反射面と第２反射面とが成す角度ωをそれぞれ略９０°−ψ／２としている。この場合、スクリーンの各部からの像光を全て正面に向けて射出させることができる。
【００１２】
本発明のさらに別の態様では、複数のセルを構成する各セルにおいて、第１及び第２反射面と吸収面とに囲まれた内部空間は、光透過性の部材で充填されている。この場合、光透過性の部材によってセルの形状を維持しつつ第１及び第２反射面を保護でき、セル内に埃が溜まる等の弊害を防止できる。
【００１３】
本発明のさらに別の態様では、複数のセルが、少なくとも第１反射面に垂直な方向に配列されており、特定のセルの第１反射面と、特定のセルに隣接するセルの吸収面とは、同一基板上に設けられている。この場合、セルを隙間無く配列でき、第１反射面や吸収面の位置関係を保持することが容易になる。
【００１４】
本発明のさらに別の態様では、吸収面が、所定の厚みを有する吸収部材に形成されており、吸収部材が、スクリーン面側の先端部において先端に向かって薄くなっている。この場合、スクリーンの正面側から傾いて入射した光束が吸収面で遮光されることを抑えることができる。
【００１５】
本発明のさらに別の態様では、複数のセルが、少なくとも第１反射面に垂直な方向に配列されており、隣接する方向に関するセルの窓高さをＰとし、第１反射面の奥行きをｄとした場合に、以下の関係
Ｐ＝ｄ・ｔａｎψ
が成り立つ。この場合、セル内に入射した投射光を効率よく反射してセル外に射出させることができる。
【発明を実施するための最良の形態】
【００１６】
〔第１実施形態〕
図１は、本発明に係る第１実施形態のスクリーンを組み込んだプロジェクタシステムを示す概略図である。
【００１７】
本プロジェクタシステムは、図１に示すように、室内の壁ＷＡ部分に固定されるスクリーン１０と、スクリーン１０に対して所望の画像を投射するプロジェクタ装置２０とで構成される。プロジェクタ装置２０は、スクリーン１０に比較的近接した状態で下方に配置されている。このため、プロジェクタ装置２０からの投射光Ｌ１は、斜め上方向に射出され、平均的に大きな入射角でスクリーン１０の正面側の平面であるスクリーン面１０ａに入射する。スクリーン１０は、後述する特殊な反射構造により、入射した投射光Ｌ１を、主に正面方向に画像光Ｌ２として射出する。スクリーン１０の正面に居るユーザＵＳは、スクリーン１０上に形成された明るい画像を比較的少ない輝度ムラで観察することができる。
【００１８】
なお、明るい部屋では、例えば窓ＷＩ、照明装置ＩＬ等からの不要光Ｌ３，Ｌ４も、スクリーン１０に入射している。しかしながら、このスクリーン１０は、斜め下方のプロジェクタ装置２０からの投射光Ｌ１のみを選択的に正面側に反射する機能を有し、窓ＷＩ、照明装置ＩＬ等からの不要光Ｌ３，Ｌ４は、ユーザＵＳのいるスクリーン１０の正面方向に反射されにくくなっている。つまり、画像光Ｌ２の強度を確保しつつ不要光Ｌ３，Ｌ４の正面反射を低減することで、スクリーン１０上に表示される投射画像の白レベルを維持しつつ黒レベルを低くしている。
【００１９】
図２は、スクリーン１０の正面の概念図であり、図３は、スクリーン１０の中央部ＣＡにおける縦方向の断面構造を説明する拡大図であり、図４は、スクリーン１０を構成する一つのセル１５の中心に沿ったＡＡ断面の構造を説明する図である。
【００２０】
スクリーン１０は、図２、３等に示すように、その表面側に複数のセル１５を縦方向すなわちＹ方向に隙間なく配列し、その裏面側を支持層１７で覆った構造を有する。各セル１５は、上側の第１反射面１１と、後方側の第２反射面１２と、下側の吸収部材１３とをそれぞれ有し、これら反射面１１，１２と吸収部材１３とに挟まれた内部空間は、光透過性の樹脂で充填されて光路部１４を構成し、ＡＡ断面に垂直な方向に関して略矩形断面を有する。ここで、第１反射面１１と第２反射面１２とは、互いに隣り合うように配置されており、吸収部材１３は、第２反射面１２と隣り合うとともに第１反射面１１と対向するように配置されている。つまり、天面側の第１反射面１１と、奥面側の第２反射面１２と、底面側の吸収部材１３とは、全体として、断面が「コ」の字状に配置されている。
【００２１】
各セル１５は、図２等に示すように、プロジェクタ装置２０の投射レンズからスクリーン１０の延長平面上に下ろした垂線とこの延長平面との交点を基準点ＨＰとして、この基準点ＨＰを中心とする同心円に沿って円弧状に延びている。これにより、同一のセル１５には、プロジェクタ装置２０からの投射光Ｌ１を同一の入射角θで入射させることができる。ここで、各セル１５を構成する第１反射面１１、第２反射面１２、吸収部材１３等の配置や姿勢等の光学的条件は、後で詳述するが、投射光Ｌ１の入射角θに応じた値に設定されており、投射光Ｌ１によって照明されたスクリーン１０から射出される画像光Ｌ２がスクリーン１０の法線方向すなわちＺ方向を中心にしてその周囲に略均等な角度分布で射出するように設定されている。なお、これらのセル１５は、全体として平坦に配列されており、プロジェクタ装置２０からの様々な入射角θの投射光Ｌ１を入射させるスクリーン面１０ａを構成する。
【００２２】
図３に示すように、セル１５を構成する第１反射面１１は、例えば吸収部材１３の下面１３ｃに形成された金属膜又は多層膜であり、光路部１４の入射面１４ａに入射して光路部１４内を通過した斜め入射の投射光Ｌ１を少ないロスで反射する。第１反射面１１で反射された反射光Ｌ１２は、略全て第２反射面１２に向けて射出される。なお、第１反射面１１は、スクリーン面１０ａに垂直なＺ方向に延びており、セル１５全体が円弧状であることに対応して円筒の一部に対応する帯状の曲面となっている。
【００２３】
第２反射面１２は、例えば光路部１４の背面１４ｃに形成された金属膜又は多層膜であり、第１反射面１１で反射されて光路部１４内を通過した反射光Ｌ１２を少ないロスで反射する。第２反射面１２で反射された画像光Ｌ２は、略全て第１反射面１１に平行なＺ方向に進行し光路部１４を横方向に通過する。なお、第２反射面１２は、第１反射面１１に対して直角に近い鋭角を成している。具体的には、第２反射面１２は、投射光Ｌ１の光路と基準点ＨＰとを通る各光路断面において、スクリーン面１０ａを基準として等しい傾斜角ψ／２を有しており、第２反射面１２全体としては、円錐面を対称軸に垂直に帯状に切り出した形状を有する。
【００２４】
吸収部材１３は、光路部１４の上面に接合された光吸収板であり、例えば黒色の樹脂材料等で形成されており、この上層部すなわち吸収面１３ａに入射した不要光等を吸収する。つまり、スクリーン１０の斜め下方に設置されたプロジェクタ装置２０からの投射光Ｌ１以外の不要光は、光路部１４の入射面１４ａからセル１５内に入射しても、吸収部材１３の吸収面１３ａに直接又は間接的に入射して吸収され、セル１５外にほとんど射出されない。なお、吸収部材１３は、第１反射面１１と等間隔になるように第２反射面１２に沿って平行に配置されている。また、吸収部材１３の本体部分は、これが属するセル１５の吸収面１３ａと、これの下側に隣接するセル１５の第１反射面１１とを支持するための共通の基板となっている。
【００２５】
光路部１４は、入射面１４ａに入射した投射光Ｌ１を第１反射面１１に導き、第１反射面１１で反射された反射光Ｌ１２を第２反射面１２に導き、第２反射面１２で反射された画像光Ｌ２を正面方向に導いて入射面１４ａから射出させる。この際、画像光Ｌ２は、入射面１４ａの法線方向すなわちＺ方向を中心にしてその周囲に略均等な角度分布で射出される。この光路部１４は、反射面１１，１２や吸収面１３ａを保護し配置関係を維持する役割を有する。なお、スクリーン１０を構成する多数の光路部１４の入射面１４ａは、全体として平坦に配列されてスクリーン面１０ａを構成しており、プロジェクタ装置２０からの様々な入射角θの投射光Ｌ１を入射さるとともに、反射光である画像光Ｌ２を正面方向に射出させる。
【００２６】
以下、図５を参照して、セル１５の形状、すなわち第１反射面１１、第２反射面１２、吸収面１３ａ等の角度や幅の設定方法について説明する。
【００２７】
まず、光路部１４の入射面１４ａに入射角θで入射した投射光Ｌ１は、入射面１４ａで屈折されて屈折角ψで第１反射面１１に入射する。すなわち、投射光Ｌ１が第１反射面１１と成す傾き角はψとなっている。この際、投射光Ｌ１が入射する光路部１４の屈折率がｎであるものとして、
ｓｉｎθ＝ｎ・ｓｉｎψ    …    （１）
となる。また、投射光Ｌ１が第１反射面１１に入射する際の投射光Ｌ１の入射角は、９０°−ψとなる。ここで、セル１５の縦方向の窓高さがＰであり、投射光Ｌ１がセル１５に入射することによって、その光線幅がａからｂに変化するものとして、
ａ＝Ｐ・ｃｏｓθ    …    （２）
ｂ＝Ｐ・ｃｏｓψ    …    （３）
となる。以上を光線幅ａ，ｂとの関係にすると、
2009063693.tif 000003
となる。入射面１４ａを通過した投射光Ｌ１が略全て第１反射面１１に入射する条件は、投射光Ｌ１のうち下端のものが第１反射面１１に入射することであり、第１反射面１１の奥行きすなわちセル１５の奥行きをｄとして、
Ｐ＝ｄ・ｔａｎψ    …    （５）
となる。つまり、セル１５の奥行きｄが決まっている場合、（５）で与えられる窓高さＰ以下に設定すれば、第１反射面１１による遮光を回避することができる。
【００２８】
第１反射面１１からの反射光Ｌ１２は、第２反射面１２に入射するが、第２反射面１２の第１反射面１１に対する角度がω＝９０°−ψ／２であることから、第２反射面１２に入射角ψ／２で入射し、反射角ψ／２で反射される。結果的に、第２反射面１２で反射される画像光Ｌ２は、光路部１４を経て入射面１４ａすなわちスクリーン面１０ａに垂直な方面方向に射出される。ここで、画像光Ｌ２の光線幅ＰＥは、第２反射面１２に入射する前の投射光Ｌ１の光線幅ｂと等しいので、
ＰＥ＝ｂ＝ｄ・ｓｉｎψ    …    （６）
2009063693.tif 000004
となる。よって、画像光Ｌ２が第２反射面１２によって遮光されない条件は、第１反射面１１からの反射光Ｌ１２のうち下端のものが第２反射面１２に入射することであり、
Ｐ−ＰＥ＝ｄ・（ｔａｎψ−ｓｉｎψ）    …    （８）
がゼロ以上となることであるが、窓高さＰが上述の式（５）で与えられる値以下であれば、これは常に満たされる。なお、吸収部材１３の厚みは、第２反射面１２と同様に反射光Ｌ１２を遮らないことであるから、上記式（６）、（７）のＰ−ＰＥ以下とすることができる。
【００２９】
吸収部材１３の前方側の先端部１３ｅは、スクリーン面１０ａに向かって薄くなっている。これにより、プロジェクタ装置２０からスクリーン面１０ａに傾いて入射した光束が吸収部材１３の先端部１３ｅで遮光されることを防止できる。
【００３０】
以上は、垂直断面の説明であったが、投射光Ｌ１の光路と基準点ＨＰとを通る各光路断面に対して、第１反射面１１と第２反射面１２とは、ともに直交しており、この光路断面において、両反射面１１，１２は、互いに角度ω＝９０°−ψ／２を成している。つまり、各光路断面で上記と同じことが成り立ち、セル１５の各部において画像光Ｌ２を正面方向に射出させることができる。
【００３１】
以上から明らかなように、スクリーン１０の設計において、例えばスクリーン１０全体でセル１５の奥行きｄを一定とする場合、スクリーン１０の上側ほど入射角θや屈折角ψが大きくなるので、スクリーン１０の下側で窓高さＰを小さくし、スクリーン１０の上側で窓高さＰを大きくする。一方、例えばスクリーン１０全体で窓高さＰを一定とする場合、スクリーン１０の上側ほど入射角θや屈折角ψが大きくなるので、スクリーン１０の下側で奥行きｄを大きくし、スクリーン１０の上側で奥行きｄを小さくする。セル１５の奥行きｄや窓高さＰを適宜設定することで、投射光Ｌ１を画像光Ｌ２として効率よく正面方向に取り出すことができる。
【００３２】
図６は、不要光の処理を説明する拡大断面図であり、図５に対応する。スクリーン１０のスクリーン面１０ａに対して、上側すなわち各セル１５の第１反射面１１側から鉛直方向に対して０〜αの角度範囲で入射した不要光Ｌ５は、吸収部材１３上の吸収面１３ａに入射し、ここで吸収される。スクリーン面１０ａに対して、やや上側すなわち第１反射面１１側から鉛直方向に対してα〜α＋βの角度範囲で入射した不要光Ｌ６は、第２反射面１２で直角に近い角度で反射され、同様の角度範囲α〜α＋βに戻される。スクリーン面１０ａに対して、上寄りすなわち第１反射面１１側から鉛直方向に対してα＋β〜α＋β+γの角度範囲で入射した不要光Ｌ７は、第２反射面１２で反射された後に第１反射面１１でも反射されてスクリーン面１０ａに対して下側に射出され、或いは第２反射面１２の次に第１反射面１１でも反射されて吸収面１３ａに入射する。以上をまとめると、スクリーン面１０ａに対して、上側から入射する不要光Ｌ５〜Ｌ７は、吸収面１３ａで吸収されるか、スクリーン面１０ａの正面方向以外に射出される。なお、スクリーン面１０ａに対して、上側から入射するプロジェクタ装置２０以外からの不要光については、一般に光量が少ないと考えられ、スクリーン面１０ａの正面方向に射出される量は少ないと考えられる。つまり、図６に示すようなセル１５の構造とすることにより、不要光Ｌ５〜Ｌ７がスクリーン面１０ａの正面方向に射出されることを防止でき、コントラストの低下を抑えることができる。
【００３３】
以下、第１実施形態のスクリーン１０の製造方法の一例について説明する。例えば、予め細板状の吸収部材１３を準備し、その下面１３ｃ上に第１反射面１１を蒸着等によって形成し、また、光路部１４を準備し、その背面１４ｃに第２反射面１２を蒸着等によって形成する。その後、吸収部材１３を光路部１４に接合して円弧状のセル１５を完成する。このようにして形成した多数のセル１５を同心状に配列して接合する。最後に、平面的に配列されたセル１５の背後に支持層１７を形成することでスクリーン１０を完成する。また、別の方法として、まず支持層１７を形成する。次に、支持層１７の表面に第２反射面１２を蒸着等によって形成する。次に、支持層１７上に多段の吸収部材１３を２色成形と同様の手法によって形成し、吸収部材１３の下面１３ｃに第１反射面１１を蒸着等によって形成する。その後、各吸収部材１３の隙間を２色成形と同様の手法で充填して光路部１４を形成する。これにより、スクリーン１０が完成する。
【００３４】
以上の説明から明らかなように、本実施形態のスクリーン１０では、第１反射面１１と第２反射面１２とが成す角度ωを略９０°−ψ／２とするので、各セル１５の第１反射面１１に対して傾いて入射した光束を後方の第２反射面１２で反射させて、第１反射面１１に略平行な光束としてスクリーン面１０ａの正面方向に射出させることができる。これにより、プロジェクタ装置２０からスクリーン１０までの投射距離を縮めて、近距離から大きな入射角度で投射された画像を正面に向けて表示させることができる。さらに、スクリーン１０の正面側や上側からの不要光は、第２反射面１２を経るなどして吸収面１３ａに入射し、或いは、スクリーン１０の上側に射出されるので、不要光がスクリーン１０の正面側に反射される可能性を低減できる。
【００３５】
なお、以上実施形態に即して本発明を説明したが、本発明は、上記実施形態に限定されるものではない。例えば、上記実施形態のスクリーン１０では、セル１５が図２のＡＡ断面に沿って同一形状を有するものとしているが、ＡＡ断面に沿って配列された多数のセル素子１５ｃからなるものとすることができる（図２参照）。この場合、各セル素子１５ｃごとに、平面の第１反射面１１や第２反射面１２を設けることができる。この際、第２反射面１２の角度調整によって、スクリーン１０の各部からの画像光の方向を、例えばスクリーン１０の中央の正面に居るユーザＵＳの方向に集めるようなものとすることができる。また、１つのセル１５を構成する各セル素子１５ｃ間を遮光体で仕切って相互に独立させることもできる。
【００３６】
また、上記実施形態では、第２反射面１２を略平坦面としているが、例えばレンズ状の凹面又は凸面とすることもできる。この場合、反射光Ｌ１２を発散光とすることができ、スクリーン１０の視野角特性を補正することができる。特に適度の曲率の凹面とした場合、第１反射面１１や吸収部材１３による遮光を防止できる。なお、第２反射面１２を凹面や凸面とする場合、第２反射面１２の第１反射面１１に対する傾きは、第２反射面１２を平均化した平坦面で考える。同様に、光路部１４の入射面１４ａを完全な平坦面とせず、例えばレンズ状の凹面又は凸面とすることもできる。さらに、第２反射面１２の全部又は一部をすりガラス状の散乱面とすることもできる。この場合も、視野角特性を補正することができる。
【００３７】
また、光路部１４については、省略することもできる。この場合、プロジェクタ装置２０からスクリーン面１０ａに入射する投射光Ｌ１の入射角がψであるとすれば、上記関係式（３）〜（８）がそのまま使え、セル１５の奥行きｄや窓高さＰを適宜設定することができる。
【００３８】
また、上記実施形態では、光路部１４の材料として、単なる透明樹脂を用いているが、拡散剤を混入させたものとすることもできる。
【図面の簡単な説明】
【００３９】
【図１】本発明に係るプロジェクタシステムの使用状態を示す概略図である。
【図２】第１実施形態のスクリーンの正面の概念図である。
【図３】第１実施形態のスクリーンの構造を説明する拡大側方断面図である。
【図４】スクリーンを構成する一つのセルの中心に沿った断面構造を説明する図である。
【図５】セルを構成する第１反射面、第２反射面、吸収面等の角度や幅の設定方法について説明する拡大側方断面図である。
【図６】不要光の処理を説明する拡大断面図である。
【符号の説明】
【００４０】
１０…スクリーン、  １０ａ…スクリーン面、  １１…第１反射面、  １２…第２反射面、  １３…吸収部材、  １３ａ…吸収面、  １３ｅ…先端部、  １４…光路部、  １４ａ…入射面、  １５…セル、  １７…支持層、  ２０…プロジェクタ装置、  ＣＡ…中央部、  ＨＰ…基準点、  Ｌ１…投射光、  Ｌ１２…反射光、  Ｌ２…画像光、  Ｌ３，Ｌ４…不要光、  Ｌ５〜Ｌ７…不要光
【図１】
2009063693.tif 000005
【図２】
2009063693.tif 000006
【図３】
2009063693.tif 000007
【図４】
2009063693.tif 000008
【図５】
2009063693.tif 000009
【図６】
2009063693.tif 000010